(57)【要約】【課題】データ放送用の放送スケジュールを、ＴＶ放送用の放送スケジュールとは独立して編成した場合であっても、ＤＳで管理されるデータ放送のオンエア結果をデータ放送用の放送スケジュールと整合させて管理することが可能な放送装置を提供する。【解決手段】ＡＰＣ１２は、ＤＳ１１で作成されたデータ放送用のプレイリストに従ってデータ放送用の番組素材出力部２１を制御する。制御部２１１は、出力部２１から出力される番組素材のオンエア結果を、外部から入力される日替り情報に基づいた日時を付して、ＤＳ１１へ通知する。【選択図】      図１
2010219671.tif 000002
【特許請求の範囲】
【請求項１】
第１のサービス放送で放送される複数の番組素材の編成を、日付の切り替わる日替りタイミングと共に示す第１の番組編成情報と、第２のサービス放送で放送される複数の番組素材の編成を示す第２の番組編成情報とを管理する管理サーバと、
前記第１のサービス放送で放送される番組素材を複数格納し、当該格納される複数の番組素材のいずれかを指示に従って出力する第１の番組素材サーバと、
前記第２のサービス放送で放送される番組素材を複数格納し、当該格納される複数の番組素材のいずれかを指示に従って出力する第２の番組素材サーバと、
前記管理サーバで管理される第１の番組編成情報に従って前記第１の番組素材サーバへ出力指示を与え、前記管理サーバで保持される第２の番組編成情報に従って前記第２の番組素材サーバへ出力指示を与え、前記第１の番組編成情報に従った放送結果を前記日替りタイミングに基づいた日時情報を付して前記管理サーバへ通知する出力制御部と、
前記第１の番組素材サーバから出力された番組素材と、前記第２の番組素材サーバから出力された番組素材とを多重化する多重化部と
を具備し、
前記第２の番組素材サーバは、
前記第２の番組編成情報に従った放送結果を、前記第２の番組編成情報に基づいて予め設定された日替り時刻に基づいた日時情報を付して、前記管理サーバへ通知する通知制御部を備えることを特徴とする放送装置。
【請求項２】
前記第１の番組編成情報と、前記第２の番組編成情報とは、互いに独立した編成情報であることを特徴とする請求項１記載の放送装置。
【請求項３】
前記第１の番組素材サーバは、ＴＶ放送用の番組素材を複数格納し、
前記第２の番組素材サーバは、データ放送用の番組素材を複数格納することを特徴とする請求項１記載の放送装置。
【請求項４】
前記日替り時刻は、前記第２の番組編成情報に基づいて特定の日毎に予め設定されることを特徴とする請求項１記載の放送装置。
【請求項５】
前記日替り時刻は、前記第２の番組編成情報に基づいて曜日毎に予め設定されることを特徴とする請求項１記載の放送装置。
【発明の詳細な説明】
【技術分野】
【０００１】
この発明は、衛星放送及び地上波放送等において、ＴＶ放送とデータ放送とを行う放送装置に関する。
【背景技術】
【０００２】
近年、デジタル放送技術の確立に伴い、通信衛星や放送衛星を使用する衛星放送システムではデジタル放送が開始され、さらに地上波放送システムにおいてもデジタル放送への移行が開始されている（例えば、特許文献１参照）。上記デジタル放送システムにおける放送装置は、テレビジョン（ＴＶ）放送に加えて、文字放送等のデータ放送も行う。
【０００３】
ところで、上記放送装置は、マスタ装置とサブマスタ装置とを備え、マスタ装置により、ＴＶ放送を制御すると共に、データ放送を管理するサブマスタ装置を制御するようにしている。マスタ装置は、データサーバ（ＤＳ）、自動番組送出制御部（ＡＰＣ）、ＴＶ放送用の番組素材出力部、ＭＵＸ及び局内時計を備える。ＤＳは、ＴＶ放送用の放送スケジュールに基づいてＴＶ放送用のプレイリストを作成する。このプレイリストには、日付を変更する時刻に、日替りを指示する日替りイベントが挿入されている。ＡＰＣは、このプレイリスト及び局内時計に基づいて、ＴＶ放送用の番組素材出力部から番組素材を出力させる。このとき、ＡＰＣは、ＴＶ放送用の番組素材出力部の制御結果をオンエア結果として、プレイリストに含まれる日替りイベントに基づいた日時を付してＤＳへ通知する。
【０００４】
一方、サブマスタ装置は、データ放送用の番組素材出力部を備える。ＡＰＣは、ＤＳで作成されるデータ放送用のプレイリスト及び局内時計に基づいて、データ放送用の番組素材出力部から番組素材を出力させる。しかし、データ放送用のプレイリストには日替りイベントが挿入されていない。そのため、ＡＰＣは、ＴＶ放送用のプレイリストに含まれる日替りイベントに基づいた日時を付して、データ放送用の番組素材出力部の制御結果をオンエア結果としてＤＳへ通知する。
【０００５】
このように、ＤＳは、ＴＶ放送及びデータ放送のオンエア結果を、マスタ装置における日替り時刻を基準にして管理している。このため、サブマスタ装置における日付及び時刻がマスタ装置における日付及び時刻と同一とならないようなデータ放送用の放送スケジュールを編成してしまった場合、データ放送用の放送スケジュールとＤＳで管理されるデータ放送のオンエア結果とが一致せず混乱を招く場合がある。そこで、このような混乱等を防止するため、サブマスタ装置における日付及び時刻が、マスタ装置における日付及び時刻と同一となるように、データ放送用の放送スケジュールを編成している。しかしながら、このことは、データ放送用の放送スケジュールを編成する上での制約となっていた。
【先行技術文献】
【特許文献】
【０００６】
【特許文献１】特開２００４−１２０４１４号公報
【発明の概要】
【発明が解決しようとする課題】
【０００７】
以上のように、従来の放送装置では、データ放送用の放送スケジュールと、ＤＳで管理されるデータ放送のオンエア結果との不整合を防止するため、データ放送用の放送スケジュールを、サブマスタ装置における日付及び時刻が、マスタ装置における日付及び時刻と同一となるように編成していた。
【０００８】
この発明は上記事情によりなされたもので、その目的は、データ放送用の放送スケジュールを、ＴＶ放送用の放送スケジュールとは独立して編成した場合であっても、ＤＳで管理されるデータ放送のオンエア結果をデータ放送用の放送スケジュールと整合させて管理することが可能な放送装置を提供することにある。
【課題を解決するための手段】
【０００９】
上記目的を達成するため、本発明に係る放送装置は、第１のサービス放送で放送される複数の番組素材の編成を、日付の切り替わる日替りタイミングと共に示す第１の番組編成情報と、第２のサービス放送で放送される複数の番組素材の編成を示す第２の番組編成情報とを管理する管理サーバと、前記第１のサービス放送で放送される番組素材を複数格納し、当該格納される複数の番組素材のいずれかを指示に従って出力する第１の番組素材サーバと、前記第２のサービス放送で放送される番組素材を複数格納し、当該格納される複数の番組素材のいずれかを指示に従って出力する第２の番組素材サーバと、前記管理サーバで管理される第１の番組編成情報に従って前記第１の番組素材サーバへ出力指示を与え、前記管理サーバで保持される第２の番組編成情報に従って前記第２の番組素材サーバへ出力指示を与え、前記第１の番組編成情報に従った放送結果を前記日替りタイミングに基づいた日時情報を付して前記管理サーバへ通知する出力制御部と、前記第１の番組素材サーバから出力された番組素材と、前記第２の番組素材サーバから出力された番組素材とを多重化する多重化部とを具備し、前記第２の番組素材サーバは、前記第２の番組編成情報に従った放送結果を、前記第２の番組編成情報に基づいて予め設定された日替り時刻に基づいた日時情報を付して、前記管理サーバへ通知する通知制御部を備えることを特徴とする。
【００１０】
上記構成による放送装置では、通知制御部は、予め設定される日替り時刻に基づいて、管理サーバへ通知する制御結果へ日時情報を付すようにしている。このため、第１の番組編成情報の制御結果と、第２の番組編成情報の制御結果とを、互いに独立した日時情報で管理することが可能となる。つまり、第２の番組編成情報とその制御結果とを整合させることが可能となる。
【発明の効果】
【００１１】
この発明によれば、データ放送用の放送スケジュールを、ＴＶ放送用の放送スケジュールとは独立して編成した場合であっても、ＤＳで管理されるデータ放送のオンエア結果をデータ放送用の放送スケジュールと整合させて管理することが可能な放送装置を提供することができる。
【図面の簡単な説明】
【００１２】
【図１】本発明の一実施形態に係る放送装置の機能構成を示すブロック図である。
【図２】図１のデータ放送用番組素材出力部の機能構成を示すブロック図である。
【図３】図１のＤＳからＡＰＣへ供給されるＴＶ番組用プレイリストデータを示す図である。
【図４】図１のＡＰＣからＤＳへ通知されるオンエア結果の一例を示す図である。
【図５】図１のＤＳからＡＰＣ及びデータ放送用番組素材出力部へ供給されるデータ番組用プレイリストデータを示す図である。
【図６】図１の制御部からＤＳへ通知されるオンエア結果の一例を示す図である。
【発明を実施するための形態】
【００１３】
以下、図面を参照しながら本発明に係る放送装置の実施の形態について詳細に説明する。
【００１４】
図１は、本発明の一実施形態に係る放送装置の機能構成を示すブロック図である。放送装置は、マスタ装置１０及びサブマスタ装置２０を具備する。
【００１５】
マスタ装置１０は、データサーバ（ＤＳ）１１、自動番組送出制御部（ＡＰＣ）１２、ＴＶ放送用番組素材出力部１３、多重化部（ＭＵＸ）１４及び局内時計１５を備える。サブマスタ装置２０は、データ放送用番組素材出力部２１を備える。
【００１６】
ＤＳ１１は、ＴＶ番組の放送開始／終了時刻及びＣＭの放送時刻等を含むＴＶ放送用の放送スケジュールデータに基づいて、ＴＶ放送用のプレイリストデータを作成する。また、ＤＳ１１は、データ番組の放送時刻等を含むデータ放送用の放送スケジュールデータに基づいて、データ放送用のプレイリストデータを作成する。プレイリストデータは、前日、当日、翌日の計３日間で実施されるイベントに関する各種情報と、放送スケジュール通りにイベントを実行するための制御情報等とが含まれている。このとき、ＴＶ放送用のプレイリストデータには、日替りのタイミングを示す日替りイベントが、１日分のイベントの終了毎に挿入されている。ＤＳ１１で作成されたＴＶ放送用及びデータ放送用のプレイリストデータは、ＡＰＣ１２へ供給される。また、データ放送用のプレイリストデータは、出力部２１へも供給される。
【００１７】
ＡＰＣ１２は、ＤＳ１１から供給されたプレイリストデータ及び局内時計１５で計測される日時に基づいて、出力部１３，２１を制御する。すなわち、ＡＰＣ１２は、ＴＶ放送用のプレイリストデータに示されたイベントをプレイリストにより指定された時刻に放送するように、出力部１３に対して、番組素材の出力開始／停止を指示する。ＡＰＣ１２は、ＴＶ放送用のプレイリストデータに従って実行した制御の結果をオンエア結果として、日替りイベントに基づいた日時を付してＤＳ１１へ通知する。また、ＡＰＣ１２は、ＤＳ１１からオンエア結果を要求された場合、上記日時を付したオンエア結果をＤＳ１１へ通知する。また、ＡＰＣ１２は、データ放送用のプレイリストデータに示されたイベントをプレイリストにより指定された時刻に放送するように、出力部２１に対して、番組素材の出力開始／終了を指示する。
【００１８】
ＴＶ放送用番組素材出力部１３は、ＴＶ番組素材を格納するＴＶ番組サーバ及びＣＭ素材を格納するＣＭ素材サーバを備える。出力部１３は、ＡＰＣ１２からの指示に従って、ＴＶ番組サーバからＴＶ番組素材を出力させるか、若しくは、ＣＭ素材サーバからＣＭ素材を出力させる。また、出力部１３は、局内時計１５から日時情報を受け取り、ログを保持する。
【００１９】
図２は、データ放送用番組素材出力部２１の機能構成を示すブロック図である。出力部２１は、制御部２１１、データ番組素材サーバ２１２−１，２１２−２及び切換器２１３を備える。
【００２０】
制御部２１１は、ＡＰＣ１２からの指示に従って、指定されたデータ番組素材をデータ番組素材サーバ２１２−１，２１２−２のいずれかから出力させ、切換器２１３の出力系統を切り替える。
【００２１】
また、制御部２１１は、メモリ２１１１を備え、ＤＳ１１から供給されるデータ放送用のプレイリストデータ及び外部から入力される日替り情報をこのメモリ２１１１に保持する。日替り情報とは、制御部２１１に対して日替り時刻を指定するものであり、この日替り時刻は、特定の日毎に個別に設定することも、曜日毎に個別に設定することも可能である。
【００２２】
制御部２１１は、データ放送用のプレイリストデータに従って実行した制御の結果をオンエア結果として、保持した日替り時刻に基づいた日時を付してＤＳ１１へ通知する。また、制御部２１１は、ＤＳ１１からオンエア結果が要求された場合、上記日時を付したオンエア結果をＤＳ１１へ通知する。また、制御部２１１は、局内時計１５から日時情報を受け取り、ログを保持する。
【００２３】
ＭＵＸ１４は、出力部１３からの出力信号と、出力部２１からの出力信号とを多重化し、後段へ出力する。
【００２４】
次に、上記構成における放送装置の動作を具体的に説明する。図３は、ＤＳ１１からＡＰＣ１２へ供給されるＴＶ番組用プレイリストデータを模式的に示した図である。プレイリストデータには、前日、当日及び翌日分のイベント情報が示されている。また、日付の変わり目には、日替りイベント１〜３が挿入される。
【００２５】
ＡＰＣ１２は、図３に従って、出力部１３を制御し、ＴＶ番組素材又はＣＭ素材を出力させる。また、ＡＰＣ１２は、プレイリストデータに示されたイベントの実施が完了する度に、そのオンエア結果をＤＳ１１へ通知する。図４は、ＡＰＣ１２からＤＳ１１へ通知されるオンエア結果の一例を模式的に示したものである。ＡＰＣ１２が、例えば２００９年１月１６日の２５時から２５時３０分の間にイベント６を実施した場合、「イベント６：２００９年１月１６日  ２５時００分００秒〜２５時３０分００秒」のオンエア結果がＤＳ１１へ通知される。
【００２６】
続いて、ＡＰＣ１２は、２５時３０分の日替りイベント２を検出すると、日付を変更し、日替りイベント２から日替りイベント３の間のイベント７〜イベント９の実施日を２００９年１月１７日とする。なお、ＤＳ１１は、ＡＰＣ１２から通知されたオンエア結果を順次格納する。
【００２７】
また、ＡＰＣ１２は、ＤＳ１１からオンエア結果の要求があった場合、実施中のイベントに関するオンエア結果をＤＳ１１へ通知する。例えば、イベント７の実施中にＤＳ１１からの要求があった場合、制御部２１１は、「イベント７：２００９年１月１７日  ４時００分００秒〜」をオンエア結果として、ＤＳ１１へ通知する。
【００２８】
図５は、ＤＳ１１からＡＰＣ１２及びデータ放送用番組素材出力部２１へ供給されるデータ番組用プレイリストデータを模式的に示した図である。プレイリストデータには、前日、当日及び翌日分のイベント情報が示されているが、ＴＶ放送用のプレイリストデータにおける日替りイベントに相当するものは挿入されていない。本例では、制御部２１１に入力される日替り情報により、データイベント４の終了時刻である２７時３０分００秒に日替り時刻１が設定され、データイベント８の終了時刻である２８時１５分００秒に日替り時刻２が設定され、データイベント１１の終了時刻である２６時３０分００秒に日替り時刻３が設定されているとする。
【００２９】
ＡＰＣ１２は、図５に従って、出力部２１を制御し、データ番組素材を出力させる。
【００３０】
制御部２１１は、プレイリストデータに示されたデータイベントの実施が完了する度に、オンエア結果をＤＳ１１へ通知する。図６は、制御部２１１からＤＳ１１へ通知されるオンエア結果の一例を模式的に示したものである。ＡＰＣ１２が、例えば２００９年１月１６日の２８時から２８時１５分の間にデータイベント８を実施した場合、「データイベント８：２００９年１月１６日  ２８時００分００秒〜２８時１５分００秒」のオンエア結果がＤＳ１１へ通知される。
【００３１】
また、制御部２１１は、外部から入力された日替り時刻を経過したことを検知すると、日付を変更し、日替り時刻２から日替り時刻３の間のイベント９〜イベント１１の実施日を２００９年１月１７日とする。なお、ＤＳ１１は、制御部２１１から通知されたオンエア結果を順次格納する。
【００３２】
また、制御部２１１は、ＤＳ１１からオンエア結果の要求があった場合、実施中のイベントに関するオンエア結果をＤＳ１１へ通知する。例えば、データイベント９の実施中にＤＳ１１からの要求があった場合、制御部２１１は、「データイベント９：２００９年１月１７日  ５時００分００秒〜」をオンエア結果として、ＤＳ１１へ通知する。
【００３３】
以上のように、上記一実施形態では、制御部２１１は、外部から入力される日替り情報に基づいて、データイベントの実施日時を設定している。このため、マスタ装置における日付を基準にして実施日時を決定していた従来のものとは異なり、データ放送のオンエア結果における日付及び時刻を、データ放送用の放送スケジュールに基づいて管理することが可能となる。つまり、データ放送用の放送スケジュールを、ＴＶ放送用の放送スケジュールと独立して編成した場合であっても、データ放送用の放送スケジュールとＤＳ１１で管理されるデータ放送のオンエア結果とが一致することとなる。
【００３４】
また、上記一実施形態では、ＴＶ放送のオンエア結果と、データ放送のオンエア結果とがそれぞれ独立した日替り時刻でＤＳ１１へ通知される。これにより、ＴＶ放送用番組素材出力部１３におけるオンエア結果と、データ放送用番組素材出力部２１におけるオンエア結果とを、それぞれ独立して管理することが可能となる。
【００３５】
したがって、本発明に係る放送装置は、データ放送用の放送スケジュールを、ＴＶ放送用の放送スケジュールとは独立して編成した場合であっても、ＤＳで管理されるデータ放送のオンエア結果をデータ放送用の放送スケジュールと整合させて管理することが可能な放送装置を提供することができる。
【００３６】
なお、この発明は上記一実施形態に限定されるものではない。例えば、上記第１の実施形態では、オンエア結果を、プレイリストデータに示されたイベントの実施が完了する度にＤＳ１１へ通知する例を説明したが、これに限定される訳ではない。すなわち、マスタ装置１０においては、ＡＰＣ１２は、プレイリストデータにおける日替りイベントを検知する度に、一日分のオンエア結果をＤＳ１１へ通知するようにしても良い。また、サブマスタ装置２０においては、制御部２１１は、外部から入力された日替り情報に基づいた日替り時刻が経過する度に、一日分のオンエア結果をＤＳ１１へ通知するようにしても良い。
【００３７】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００３８】
１０…マスタ装置
１１…ＤＳ
１２…ＡＰＣ
１３…ＴＶ放送用番組素材出力部
１４…ＭＵＸ
１５…局内時計
２０…サブマスタ装置
２１…データ放送用番組素材出力部
２１１…制御部
２１１１…メモリ
２１２−１，２１２−２…素材サーバ
２１３…切換器
【図１】
2010219671.tif 000003
【図２】
2010219671.tif 000004
【図３】
2010219671.tif 000005
【図４】
2010219671.tif 000006
【図５】
2010219671.tif 000007
【図６】
2010219671.tif 000008